(57)【要約】眼収差測定方法および測定装置を提供する。該測定装置は光線トラッキング光路と、ライトスポット測定光路と、動向監視光路とを備え、光線トラッキング光路において、光が被験者の瞳孔に入射する位置は瞳孔面と共役する光源アレイにより制御され、ライトスポット記録は、眼底と共役する表示画面上のマークにより行われる。光線トラッキングとライトスポット測定を分離することによって、測定装置における光路長が短縮され、被験者側の光量が増強し、発光ダイオードの光量不足の問題を解決する同時に、測定精度を維持でき、測定装置の構造をより簡略化し、調整がより容易に行うことができ、安定性を向上しながらコストを削減できる。
2004508915.tif 000002
【特許請求の範囲】
【請求項１】
光源アレイから選択された一の光源から出射された照射光が、光通過可能な固定された第１のマークおよび対応する光学素子を通過し、前記第１のマークを被験者の目の眼底に結像させる第１の光線トラッキング工程；
前記第１の光線トラッキング工程に続いて、表示画面上に表示された第２のマークを対応する光学素子を経由して前記眼底に結像させ、前記第２のマークと前記第１のマークの前記眼底に形成された像が重なり合うように前記表示画面上に前記第２のマークを移動し、前記第２のマークの位置を記録する第１のライトスポット記録工程；
前記光源アレイから選択された他の光源から出射された照射光は、前記第１のマークおよび前記対応する光学素子を通過し、前記第１のマークを前記眼底に結像させる第２の光線トラッキング工程；
前記第２の光線トラッキング工程に続いて、前記第２のマークと前記第１のマークの前記眼底に形成された像が重なり合うように前記第２のマークを移動し、前記第２のマークの位置を記録する第２のライトスポット記録工程；及び
前記第１のライトスポット記録工程と前記第２のライトスポット記録工程において得られた前記第２のマークの位置データを数値計算により解析し、前記被験者の目の収差を計算する計算工程；
を有することを特徴とする眼収差測定方法。
【請求項２】
前記第２の光線トラッキング工程と第２のライトスポット記録工程とを複数回繰り返し、複数の前記第２のマークの位置データを得て、前記計算工程を行う；
ことを特徴とする請求項１に記載の眼収差測定方法。
【請求項３】
前記数値計算は最少二乗法を含む；
ことを特徴とする請求項１に記載の眼収差測定方法。
【請求項４】
前記第２の光線トラッキング工程と第２のライトスポット記録工程とを繰り返す度に、光源アレイに含まれる異なる光源をランダムに発光させる；
ことを特徴とする請求項２に記載の眼収差測定方法。
【請求項５】
前記第１の光線トラッキング工程を行う前に、赤外線光源に前記被験者の目の瞳孔を照射させ、対応する光学素子を経由して前記瞳孔と同心円板を同時に撮像装置に撮像させて表示させ、前記瞳孔と前記同心円板とを同軸させる；
ことを特徴とする請求項１に記載の眼収差測定方法。
【請求項６】
前記光源アレイは、発光ダイオード・アレイと、ファイバ・アレイと、液晶ディスプレイとのいずれかを含む；
ことを特徴とする請求項１に記載の眼収差測定方法。
【請求項７】
光線トラッキング光路とライトスポット記録光路とを備えた眼収差測定装置であって：
前記光線トラッキング光路において被験者の目の瞳孔面と共役する位置に設けられた光源アレイ；
前記光源アレイと接続する制御装置；
前記光線トラッキング光路において前記被験者の目の眼底と共役する位置に固定された第１のマーク；
前記ライトスポット記録光路において前記被験者の目の眼底と共役する位置に設けられ、第２のマークを表示する表示画面；
前記表示画面と接続し前記第２のマークを駆動する、前記制御装置における移動装置；
を有し、
前記光源アレイから選択された一の光源から出射された照射光が、前記第１のマークを照射し、前記第１のマークを前記被験者の目の眼底に結像させ；
前記第２のマークが前記被験者の目の眼底に結像され；かつ
前記第２のマークと前記第１のマークの前記眼底に形成された像が重なり合うように、前記移動装置は前記第２のマークを移動させる；
ことを特徴とする眼収差測定装置。
【請求項８】
瞳孔監視光路をさらに有し；
前記瞳孔監視光路は、前記被験者の目の付近に設置された赤外線光源と、同心円板と、前記制御装置に接続され前記瞳孔面と共役する受光面を有する撮像装置とを含み；かつ
前記被験者の目の瞳孔と前記同心円板とが、前記制御装置の第２の表示画面上に同時に結像される；
ことを特徴とする請求項７に記載の眼収差測定装置。
【請求項９】
前記光源アレイは、二次元に配列された１０から１００までの光源を含む；
ことを特徴とする請求項７に記載の眼収差測定装置。
【請求項１０】
前記光源アレイは、１３個、２１個、又は、３７個の光源を含む；
ことを特徴とする請求項９に記載の眼収差測定装置。
【請求項１１】
前記光源アレイは、発光ダイオード・アレイと、ファイバ・アレイと、液晶ディスプレイとのいずれかを含む；
ことを特徴とする請求項７に記載の眼収差測定方法。
【請求項１２】
前記光源アレイの各光源は、前記瞳孔面における入射開口の直径は１ｍｍ以下である；
ことを特徴とする請求項７に記載の眼収差測定方法。
【請求項１３】
前記制御装置は、計算機と、シングル・チップ・コンピュータと、工業制御装置とのいずれかを含む；
ことを特徴とする請求項７に記載の眼収差測定方法。
【請求項１４】
前記表示画面は、液晶ディスプレイを含む；
ことを特徴とする請求項７に記載の眼収差測定方法。
【請求項１５】
前記移動装置は、マウスと、操作棒と、リモート・コントローラとのいずれかを含む；
ことを特徴とする請求項７に記載の眼収差測定方法。
【請求項１６】
前記撮像装置は、電子眼と、ディジタル・カメラと、ビデオ・カメラとのいずれかを含む；
ことを特徴とする請求項８に記載の眼収差測定方法。
【請求項１７】
前記光線トラッキング光路と前記ライトスポット記録光路とが重複する前の位置にあり、前記被験者の目の眼底と共役する位置に視力表または画像マークが設けられている
ことを特徴とする請求項７に記載の眼収差測定方法。
【発明の詳細な説明】
【０００１】
［発明の分野］
本発明は、医学測定方法および測定装置に関し、特に被験者の目の収差を測定する方法および装置に関する。
【０００２】
［発明の背景］
人間の目は１つの光学系を構成し、外部物体の像を眼底の網膜上に形成する。理想的な場合は、目が物体表面上の光分布のコントラスト比を保持したまま、網膜上にはっきりした像を形成する。この際に、物体の表面のある場所から射出された光（例えば、反射光）が、目の瞳孔を通過し網膜上の一点に収束する。しかし、普通は人間の目はそのような理想的な状態にならず、瞳孔を通過した光は、網膜上の一点に収束せず、ライトスポットになる。即ち、一部の光線は理想的な像点に到達し、大部分の光線は理想的な像点から離れる。このような目の光学系の特性により光線が理想的な像点より離れる現象を目の収差という。目の収差は人間の目の欠陥として目の視力に重大な影響を及ぼし、特に近視眼患者に影響が強い。
【０００３】
目の収差を矯正するために、まず、その収差を精確に測定することが必要である。今のところ、目の収差を測定する方法には、主観測定方法と客観測定方法がある。主観測定方法は、精度が高く、安定性が良く、また、測定時に散瞳する必要がなく、コストが低いなどの利点を有するのでよく用いられている。例えば、中国特許第９８１２５０８３．１号は、目の収差を測定できる装置と方法を開示している。しかし、この発明において、測定光路は光線トラッキングとライトスポット測定という２つの機能を同時に果たさなければならない。測定精度を確保する前提で、以上２つの目標を同時に達成するために、光路全体の光路長がなくなり、発光ダイオードの光量は足りなくなってしまう。新型の輝度の高い発光ダイオードを採用しても、多くの場合は、被験者は目標をはっきり見えず測定を遂行できない。
【０００４】
［発明の目的］
本発明の目的は、光線トラッキングとライトスポット測定を分離し、別個の２つの光路で行うことができる眼収差測定方法および装置を提供する。本発明により、高い輝度の発光ダイオードを必要とせず、伝播過程において光量の損失を減少でき、測定精度を確保しながら発光ダイオードの光量不足の問題を解決できる。
【０００５】
［発明の概要］
本発明の眼収差測定方法は、光源アレイから選択された一の光源から出射された照射光が、光通過可能な固定された第１のマークおよび対応する光学素子を通過し、前記第１のマークを被験者の目の眼底に結像させる第１の光線トラッキング工程と、前記第１の光線トラッキング工程に続いて、表示画面上に表示された第２のマークを対応する光学素子を経由して前記眼底に結像させ、前記第２のマークと前記第１のマークの前記眼底に形成された像が重なり合うように前記表示画面上に前記第２のマークを移動し、前記第２のマークの位置を記録する第１のライトスポット記録工程と、前記光源アレイから選択された他の光源から出射された照射光が、前記第１のマークおよび前記対応する光学素子を通過し、前記第１のマークを前記眼底に結像させる第２の光線トラッキング工程と、前記第２の光線トラッキング工程に続いて、前記第２のマークと前記第１のマークの前記眼底に形成された像が重なり合うように前記第２のマークを移動し、前記第２のマークの位置を記録する第２のライトスポット記録工程と、前記第１のライトスポット記録工程と前記第２のライトスポット記録工程において得られた前記第２のマークの位置データを数値計算により解析し、前記被験者の目の収差を計算する計算工程とを有する。
【０００６】
好適に、前記第２の光線トラッキング工程と第２のライトスポット記録工程とを複数回繰り返し、複数の前記第２のマークの位置データを得て、前記計算工程を行う。
好適に、前記第２の光線トラッキング工程と第２のライトスポット記録工程とを繰り返す度に、光源アレイに含まれる異なる光源をランダムに発光させる。
【０００７】
好適に、前記第１の光線トラッキング工程を行う前に、赤外線光源に前記被験者の目の瞳孔を照射させ、対応する光学素子を経由して前記瞳孔と同心円板を同時に撮像装置に撮像させて表示させ、前記瞳孔と前記同心円板とを同軸させる。
【０００８】
本発明の眼収差測定装置は、光線トラッキング光路とライトスポット記録光路とを備えた眼収差測定装置であって、前記光線トラッキング光路において被験者の目の瞳孔面と共役する位置に設けられた光源アレイと、前記光源アレイと接続する制御装置と、前記光線トラッキング光路において前記被験者の目の眼底と共役する位置に固定された第１のマークと、前記ライトスポット記録光路において前記被験者の目の眼底と共役する位置に設けられ、第２のマークを表示する表示画面と、前記表示画面と接続し前記第２のマークを駆動する、前記制御装置における移動装置とを有し、前記光源アレイから選択された一の光源から出射された照射光が、前記第１のマークを照射し、前記第１のマークを前記被験者の目の眼底に結像させ、前記第２のマークが前記被験者の目の眼底に結像され、前記第２のマークと前記第１のマークの前記眼底に形成された像が重なり合うように前記移動装置は前記第２のマークを移動させる。
【０００９】
好適に、瞳孔監視光路をさらに有し、前記瞳孔監視光路は、前記被験者の目の付近に設置された赤外線光源と、同心円板と、前記制御装置に接続され前記瞳孔面と共役する受光面を有する撮像装置とを含み、前記被験者の目の瞳孔と前記同心円板とが、前記制御装置の表示画面上に同時に結像される。
【００１０】
本発明の原理は次のようになる。
本発明の眼収差測定装置は、光線トラッキング光路とライトスポット記録光路と備えている。光線トラッキング光路は光源アレイから始まり、光源からの照射光が光学系により像を形成し、眼底と共役する位置に固定された透過型マークを通過し、被験者の目の瞳孔面に集光され、眼底に透過型マークの像を形成する。
制御装置は、光源駆動回路を通じて選択的に光源アレイの任意の１つの光源を点灯させ、その光源からの光は、瞳孔面上のある位置から被験者の目に入射する。透過型マークは眼底と共役するため、眼底に形成された透過型マークの像、すなわち、被験者が観察している透過型マークは瞳孔面上の上記入射位置から入射されたすべての光線により形成される。
制御装置は光源アレイのほかの１つの異なる光源を点灯させると、その光源からの光は、瞳孔面上の別の位置から被験者の目に入射し、眼底に形成された透過型マークの像は瞳孔面上のこの別の位置から入射した光線により形成される。
【００１１】
もし目が正確に集光でき且つ収差の影響がなければ、透過型マークの像は眼底上に移動しない、即ち、瞳孔面上の異なる位置から被験者の目に入射した光のライトスポットの位置は変化しない。
しかし、実際には被験者の目の収差の影響で、透過型マークの像は眼底上で移動する、即ち、光のライトスポットの位置が変化する。しかも、その変化量は目の収差に比例する。
この収差の影響による変化は被験者が観察できるが、それを測定することができない。この測定はライトスポット記録光路により行われる。ライトスポット記録光路には、１つの表示画面は被験者の眼底に結像され、そうすると、被験者が光線トラッキング光路における透過型マークとライトスポット記録光路における表示画面上のマークを同時に観察できる。被験者は所定の移動装置を操作し、表示画面上のマークの位置を変え、被験者から見て表示画面上のマークと透過型マークを重ね合わせ、即ち、眼底上の表示画面上のマークの像と透過型マークの像を重ね合わせる。続いて、移動装置を制御し、透過型マークの位置として、表示画面上のマークの位置を記録する、いわゆるライトスポット記録である。これによって、収差により発生した透過型マークの像の変位は、表示画面上のマークの変位に変換され測定される。
測定された量から視角の変化量を求め、数値計算により２次元連続収差分布および多項離散収差成分を得ることができる。
【００１２】
本発明は次のような利点がある。
本発明の眼収差測定方法および装置は、光線トラッキング光路とライトスポット記録光路を分離し、測定精度の制御はライトスポット記録光路が行い、輝度の制御は光線トラッキング光路が行い、その結果、測定精度を損なうことなく、十分な輝度を確保できる。
また、本発明の眼収差測定方法および装置により、測定装置の構造がより簡略化され、調整をより容易に行うことができ、安定性を向上し且つコストを削減できる。
本発明における瞳孔監視光路において、電子撮像設備と同心円板を導入し、光路の構造を簡略化し、表示画面上に同時に瞳孔と同心円板の像を表示でき、瞳孔の位置と装置光路の共軸調整に有利である。
【００１３】
［好ましい実施例の詳細な説明］
次に、添付した図面を参照して本発明を詳細に説明する。
図１は本発明に係る眼収差測定装置の１つの実施例の全体構成図である。図１に示す眼収差測定装置は、光源アレイ１と、第１のレンズ２と、第１の反射ミラー３と、透過型光学マーク４と、スプリッター５と、第２のレンズ６と、第２の反射ミラー７と、第３のレンズ８と、第３の反射ミラー９と、コールド・ミラー１０と、第４のレンズ１１と、第１の表示スクリーン１４と、第５のレンズ１５と、視力表１６と、第６のレンズ１７と、同心円板１８と、第７のレンズ１９と、ＣＣＤ撮像装置２０と、コンピュータ２１と、第２の表示スクリーン２２と、マウス２３と、赤外線発光ダイオード１３とにより構成され、被験者の目１２の収差を測定する。なお、コンピュータ２１は、光源アレイ１と赤外線発光ダイオード１３を駆動する駆動回路２１を備えている。
【００１４】
本発明の眼収差測定装置は、光線トラッキング光路とライトスポット記録光路とを備えている。一例として、この光線トラッキング光路の光源は、被験者の目１２の前方の瞳孔面と共役する位置に設けられた発光ダイオードのアレイ１となり、この光源アレイ１はコンピュータ２１に接続されている。また、この光線トラッキング光路に、目１２の後方の眼底と共役する位置に固定された透過型マーク４が設けられており、光源アレイ１の任意の１つのダイオードの照射により、係る光学素子を通して、該透過型マーク４は目１２の眼底に結像される。
【００１５】
具体的に、該光線トラッキング光路は順次光源アレイ１と、第１のレンズ２と、第１の反射ミラー３と、透過型マーク４と、スプリッター５と、第２のレンズ６と、第２の反射ミラー７と、第３のレンズ８と、第３の反射ミラー９と、コールド・ミラー１０と、第４のレンズ１１とにより構成され、第４のレンズ１１からの光は被験者の目１２に入射する。
【００１６】
本実施例におけるライトスポット記録光路は、第１の表示スクリーン１４を備えており、第１の表示スクリーン１４上に表示されたマークは、係る光学素子を通して目１２の眼底に結像される。表示スクリーン１４上は、コンピュータ２１に接続されており、表示スクリーン１４上のマークはコンピュータ２１に備えられている移動装置に駆動される。例えば、表示スクリーン１４上のマークはマウス２３に制御されるカーソルであり、さらに、このカーソルは十字形状に設定されている。
【００１７】
このライトスポット記録光路は順次第１の表示スクリーン１４、第５のレンズ１５と、視力表１６と、スプリッター５と、第２のレンズ６と、第２の反射ミラー７と、第３のレンズ８と、第３の反射ミラー９と、コールド・ミラー１０と、第４のレンズ１１とにより構成される。即ち、光線トラッキング光路とライトスポット記録光路は一部重複している。
【００１８】
本発明の眼収差測定装置はさらに瞳孔監視光路を有する。該瞳孔監視光路に、被験者の目１２の付近に設置された赤外線光源となる赤外線発光ダイオード１３と、同心円板１８と、コンピュータ２１に接続された撮像装置２０が設けられている。
したがって、この瞳孔監視光路は、順次赤外線光源１３と、第４のレンズ１１と、コールド・ミラー１０と、第６のレンズ１７と、同心円板１８と、第７のレンズ１９と、ＣＣＤ撮像装置２０とにより構成される。ＣＣＤ撮像装置２０の受光面および同心円板１８は、被験者の目１２の瞳孔面と共役しており、係る光学素子を経由して瞳孔と同心円板１８は第２の表示スクリーン２２に結像される。第２の表示スクリーン２２上を用いて、不図示の移動装置により、測定装置の光軸と被験者の目１２の光軸を一致させる。
【００１９】
光源アレイ１０は、例えば、１３個、２１個又は３７個の発光ダイオードが２次元に配列してなる。各発光ダイオードからの照射光の瞳孔面における開口の直径は、たとえば、１ｍｍ以下とする。
本発明における制御装置として、コンピュータ２１のほかに、シングル・チップ・コンピュータや、任意の工業制御装置などを用いても良い。
表示スクリーン１４と２２には、液晶ディスプレイや、ＬＣＤなどを用いることができる。
本発明の移動装置として、上記のマウス２３のほかに、操作棒や、リモート・コントローラなどを用いても良い。
本発明の撮像装置として、ＣＣＤのほかに、ディジタル・カメラや、ビデオ・カメラなどを用いても良い。
本発明の光源アレイに、発光ダイオード・アレイのほかに、ファイバ・アレイ光源（ファイバ・アレイに設けられた光源のアレイ）や、液晶ディスプレイなどを用いることができる。あるいは、サーボモータに２次元的に駆動される点光源を用いても良い。
【００２０】
本発明の眼収差測定装置における光線トラッキング光路は光源アレイ１から始まり、光が係る光学系により像を形成し、被験者の目１２の眼底と共役する位置に固定された透過型マーク４を通過して、目１２の瞳孔面に集光される。コンピュータ２１は、光源駆動回路により選択的に光源アレイ１の任意の１つの発光ダイオードを点灯させ、光は瞳孔面上のある位置から被験者の目１２に入射する。透過型マーク４は眼底と共役するため、眼底に形成された透過型マーク４の像は瞳孔面上の上記入射位置から入射されたすべての光線により形成される。コンピュータ２１は異なる発光ダイオードを点灯させると、光は瞳孔面上の別の位置から目１２に入射し、眼底に別のマーク４の像を形成する。もし被験者の目１２が正確に集光でき、かつ収差の影響がなれば、瞳孔面上の異なる位置からの光線により眼底に形成された透過型マーク４の像は同じ位置に位置し、眼底上に移動しない、即ち、瞳孔面上の異なる位置から目に入射した光線のライトスポットの位置は変化しない。
【００２１】
しかし、実際には目１２の収差の影響で、瞳孔面上の異なる位置からの光線による眼底上の透過型マーク４の像は眼底上の別の位置に移動する、即ち、像の位置は変化する、しかも、その変化量は目１２の収差の増大により増大する。目１２の収差の影響は被験者が観察した透過型マーク４の位置の変化として現れ、ライトスポット記録光路により定量に測定される。
ライトスポット記録光路において、表示スクリーン１４上の例えば十字形状のカーソルは被験者の眼底に結像される。すると、被験者が光線トラッキング光路における透過型マーク４とライトスポット記録光路における表示スクリーン１４上のカーソルを同時に観察できる。続いて、被験者は例えばマウス２３を動かして表示スクリーン１４上のカーソルを移動させ、被験者から見た表示スクリーン１４上のカーソルと透過型マーク４とを重ね合わせる。そして、例えば被験者はマウス２３をクリックすることによって、眼底上に透過型マーク４の像の位置として表示スクリーン１４上のカーソル位置を記録する、いわゆるライトスポット記録である。これによって、収差により発生した透過型マーク４の像の位置の変化は、表示スクリーン１４上のカーソルの位置変化に変換され測定される。測定されたデータから被験者の視角の変化量を求め、さらに数値計算により２次元連続収差分布および多項離散収差成分を得ることができる。
【００２２】
一方、赤外線発光ダイオード１３からの照射光は、被験者の目１２を照射し、瞳孔面からの反射光は第４のレンズ１１とコールド・ミラー１０を通して、第４のレンズ１１の後方の焦点面に像を形成し、その像は同心円板１８とオーバーラップする。また、第７のレンズ１９を通して、瞳孔と同心円板１８はＣＣＤ撮像装置２０に撮像されて第２の表示スクリーン２２に表示される。その表示によって測定装置の光軸と被験者の目１２の光軸を一致させる調整ができる。
コールド・ミラー１０は、可視光を反射し、赤外線を透過させる性質を持っている。
【００２３】
以上に説明したように、本発明の実施例に従った眼収差測定装置によれば、光線トラッキングとライトスポット測定が分離され、２つの光路で別個に行われる。これにより、測定過程における高い輝度の発光ダイオードの要求を緩和し、伝播過程における光量の損失を減少し、測定精度を確保しながら発光ダイオードの光量不足の問題を解決できる。
【００２４】
図２は、本発明に係る眼収差測定方法を示すフローチャートである。
図２に示すように、本発明に係る眼収差測定方法は次のような工程からなる。
ステップＳ１：
光源アレイ１から任意の１つの発光ダイオードを選択して点灯させ、照射光は透過型マーク４と係る光学素子を通過し透過型マーク４を眼底に結像する、いわゆる光線トラッキング工程である。
【００２５】
ステップＳ２：
続いて、係る光学素子により表示スクリーン１４上のカーソルは被験者の眼底に結像され、被験者は例えばマウス２３を動かして表示スクリーン１４上のカーソルを移動し、被験者から見た表示スクリーン１４上のカーソルと透過型マーク４とを重ね合わせる。そして、被験者は例えばマウス２３をクリックして、眼底上に透過型マーク４の像の位置として表示スクリーン１４上のカーソル位置を記録する、いわゆるライトスポット記録工程である。
【００２６】
ステップＳ３：
光源アレイ１からステップＳ１と異なる発光ダイオードを選択して点灯させ、照射光は透過型マーク４と係る光学素子を通過し透過型マーク４を眼底に結像する。即ち、光線トラッキング工程をもう一度行う。
【００２７】
ステップＳ４：
続いて、被験者は例えばマウス２３を動かして表示スクリーン１４上のカーソルを移動させ、被験者から見た表示スクリーン１４上のカーソルと透過型マーク４とを重ね合わせる。そして、被験者は例えばマウス２３をクリックして、眼底上に透過型マーク４の像の位置として表示スクリーン１４上のカーソル位置を記録する、即ち、ライトスポット記録工程をもう一度行う。
【００２８】
ステップＳ５：
記録された表示スクリーン１４上のカーソルの異なる位置データを数値計算によって解析し、収差の結果を得る。
【００２９】
なお、ステップＳ５の前に、ステップＳ３とステップＳ４を複数回繰り返し複数のカーソルの位置データを得て、そして、ステップＳ５の解析を行っても良い。
また、ステップＳ３とステップＳ４を繰り返す度に、異なる発光ダイオードをランダムに点灯させても良い。
また、ステップＳ１の前に、赤外線発光ダイオード１３を点灯させ被験者の目１２を照射し、係る光学素子を経由して被験者の目１２の瞳孔と同心円板１８はＣＣＤ撮像装置２０に撮像され、表示スクリーン２２に表示され、測定装置の光軸と被験者の目１２の光軸を一致させる調整をしても良い。
【００３０】
したがって、本発明の眼収差測定方法の好ましい実施形態は次のようになる。ステップＳ５を実行する前に、ステップＳ３とステップＳ４を複数回繰り返し複数のカーソルの位置データを得て、そして、ステップＳ５の解析を行う。また、ステップＳ３とステップＳ４を繰り返す度に、異なる発光ダイオードをランダムに点灯させる。
【００３１】
ステップＳ５での数値計算の方法は色々ある、例えば、最少二乗法などを用いることができる。
また、ステップＳ１とステップＳ３で光源の選択は、ランダムに行うことができるが、事前に決めた所定順番で選択しても良い。
また、光源アレイ１には、ほかの適当な発光装置を用いても良い。例えば、サーボモータにより駆動された、光軸に垂直する平面（即ち光源アレイを含む平面）に移動可能な点光源（例えば、レーザ光源）、即ち、平面内に移動可能な点光源を用いても良い。
【図面の簡単な説明】
【図１】
本発明に係る眼収差測定装置の１つの実施例の全体構成図である。
【図２】
本発明に係る眼収差測定方法を示すフローチャートである。
【符号の説明】
１　　光源アレイ
２　　第１のレンズ
３　　第１の反射ミラー
４　　透過型光学マーク
５　　スプリッター
６　　第２のレンズ
７　　第２の反射ミラー
８　　第３のレンズ
９　　第３の反射ミラー
１０　コールド・ミラー
１１　第４のレンズ
１２　被験者の目
１３　赤外線発光ダイオード
１４　第１の表示スクリーン
１５　第５のレンズ
１６　視力表
１７　第６のレンズ
１８　同心円板
１９　第７のレンズ
２０　ＣＣＤ撮像装置
２１　コンピュータと駆動回路
２２　第２の表示スクリーン
２３　マウス
【図２】
2004508915.tif 000003
【国際公開パンフレット】
2004508915.tif 000004
2004508915.tif 000005
2004508915.tif 000006
2004508915.tif 000007
2004508915.tif 000008
2004508915.tif 000009
2004508915.tif 000010
2004508915.tif 000011
2004508915.tif 000012
2004508915.tif 000013
2004508915.tif 000014
2004508915.tif 000015
2004508915.tif 000016
2004508915.tif 000017
2004508915.tif 000018
2004508915.tif 000019
2004508915.tif 000020
2004508915.tif 000021
【国際公開パンフレット（コレクトバージョン）】
2004508915.tif 000022
2004508915.tif 000023
【国際調査報告】
2004508915.tif 000024
2004508915.tif 000025
2004508915.tif 000026
2004508915.tif 000027